(57)【要約】【課題】比較的簡易な構成を用いて、乾燥初期において乾燥速度を上昇させることが可能な乾燥装置を提供する。【解決手段】乾燥装置において、制御部９０は、目標値よりも大きい値に設定された代替値に、第１の温度検知部によって検知される温度と第２の温度検知部によって検知される温度との温度差が近づくように流路制御部９７２が膨張弁１６を制御し、且つ、所定の回転数よりも低い回転数で回転部９ａが回転するように送風機制御部９６が回転部９ａを制御する第１の制御と、所定の回転数よりも低い回転数で回転部９ａが回転するように送風機制御部９６が回転部９ａを制御する第２の制御と、代替値に温度差が近づくように流路制御部９７２が膨張弁１６を制御する第３の制御とのうちのいずれか一つの制御を、被乾燥対象物を乾燥させるための運転の開始時点から実行する。【選択図】図３
2014054377.tif 000002
【特許請求の範囲】
【請求項１】
圧縮機と、凝縮器と、絞り部と、蒸発器とを含むヒートポンプ装置と、
被乾燥対象物を収納し、前記凝縮器において加熱された空気が供給される乾燥室と、
回転部を有し、前記凝縮器において加熱された空気を前記乾燥室へ送風する送風機と、
前記蒸発器の入口近傍の温度を検知する第１の温度検知部と、前記蒸発器の出口の温度を検知する第２の温度検知部と、前記第１の温度検知部によって検知される温度と前記第２の温度検知部によって検知される温度との差を算出する演算部と、前記演算部によって算出される温度差の値が目標値に近づくように前記絞り部を制御する流量制御部と、前記送風機の前記回転部を制御する送風機制御部とを有する制御部とを備え、
前記目標値よりも大きい値に設定された代替値に前記温度差の値が近づくように前記流路制御部が前記絞り部を制御し、且つ、所定の回転数よりも低い回転数で前記回転部が回転するように前記送風機制御部が前記回転部を制御する第１の制御と、所定の回転数よりも低い回転数で前記回転部が回転するように前記送風機制御部が前記回転部を制御する第２の制御と、前記目標値よりも大きい値に設定された代替値に前記温度差の値が近づくように前記流路制御部が前記絞り部を制御する第３の制御とのうちのいずれか一つの制御を、前記制御部は、被乾燥対象物を乾燥させるための運転の開始時点から実行する、
乾燥装置。
【請求項２】
被乾燥対象物を乾燥させるための運転が開始されてから所定の時間が経過した場合に、前記代替値は、前記目標値に一致する値に設定される、請求項１に記載の乾燥装置。
【請求項３】
被乾燥対象物を乾燥させるための運転が開始されてから所定の時間が経過した場合に、前記所定の回転数で前記回転部が回転するように前記送風機制御部は前記回転部を制御する、請求項１または請求項２に記載の乾燥装置。
【請求項４】
前記乾燥装置には、複数の運転コースが設定され、
複数の前記運転コースに応じて、前記所定の時間の長さが異なる、
請求項２または請求項３に記載の乾燥装置。
【請求項５】
前記凝縮器において加熱された空気が前記乾燥室へ供給されるように前記凝縮器と前記乾燥室との間に配置された第１の部分と、前記乾燥室において被乾燥対象物の乾燥に利用された空気が前記蒸発器に向かって流れるように前記乾燥室と前記蒸発器との間に配置された第２の部分とを有するダクトをさらに備え、
前記制御部は、前記ヒートポンプ装置の所定の箇所の温度、または、前記ダクトの所定の箇所の温度を検知する第３の温度検知部をさらに有し、
被乾燥対象物を乾燥させるための運転が開始された後において、前記第３の温度検知部によって検知される温度が所定の温度以上である場合に、前記代替値は、前記目標値に一致する値に設定される、請求項１から請求項３までのいずれか１項に記載の乾燥装置。
【請求項６】
前記凝縮器において加熱された空気が前記乾燥室へ供給されるように前記凝縮器と前記乾燥室との間に配置された第１の部分と、前記乾燥室において被乾燥対象物の乾燥に利用された空気が前記蒸発器に向かって流れるように前記乾燥室と前記蒸発器との間に配置された第２の部分とを有するダクトをさらに備え、
前記制御部は、前記ヒートポンプ装置の所定の箇所の温度、または、前記ダクトの所定の箇所の温度を検知する第３の温度検知部をさらに有し、
被乾燥対象物を乾燥させるための運転が開始された後において、前記第３の温度検知部によって検知される温度が所定の温度以上である場合に、前記所定の回転数で前記回転部が回転するように前記送風機制御部は前記回転部を制御する、
請求項１から請求項４までのいずれか１項に記載の乾燥装置。
【請求項７】
前記乾燥装置には、複数の運転コースが設定され、
複数の前記運転コースに応じて、前記所定の温度が異なる、
請求項５または請求項６に記載の乾燥装置。
【請求項８】
当該乾燥装置は、乾燥行程よりも前の行程として、洗い行程と濯ぎ行程と脱水行程とを順に行う洗濯乾燥装置であって、
前記圧縮機は駆動部を有し、
前記制御部は、前記圧縮機の前記駆動部を制御する圧縮機制御部をさらに有し、
乾燥行程よりも前の行程において、前記圧縮機制御部と前記送風機制御部とがそれぞれ前記圧縮機と前記送風機との作動を開始させ、前記送風機制御部が前記乾燥行程における回転数よりも低い回転数で前記送風機の前記回転部を回転させ、且つ、前記圧縮機制御部が前記乾燥行程における回転数よりも低い回転数で前記圧縮機の前記駆動部を回転させる第４の制御と、前記圧縮機制御部と前記送風機制御部とがそれぞれ前記圧縮機と前記送風機との作動を開始させ、且つ、前記送風機制御部が前記乾燥行程における回転数よりも低い回転数で前記送風機の前記回転部を回転させる第５の制御と、前記圧縮機制御部が少なくとも前記圧縮機の作動を開始させ且つ前記乾燥行程における回転数よりも低い回転数で前記圧縮機の前記駆動部を回転させる第６の制御とのうちのいずれか一つの制御を前記制御部が実行する、請求項１から請求項７までのいずれか１項に記載の乾燥装置。
【発明の詳細な説明】
【技術分野】
【０００１】
本発明は、一般的には乾燥装置に関し、特定的には、ヒートポンプを熱源として用いた乾燥装置に関する。
【背景技術】
【０００２】
衣類等の被乾燥対象物を乾燥させる乾燥装置によれば、乾燥の初期において、熱源としての加熱装置の作動によって乾燥室（乾燥用空気）の温度が時間に応じて上昇する。熱源として特にヒートポンプを用いた乾燥装置においては、圧縮機を起動した時点から冷媒の循環が安定するまでに、ある程度の時間を要する。
【０００３】
ヒートポンプを熱源として用いた従来の乾燥装置として、例えば、特許第４８８９５４５号公報（以下、特許文献１という）に記載された乾燥装置と、特許第４１２６３２２号公報（以下、特許文献２という）に記載された乾燥装置と、特開２００９−６１１６３号公報（以下、特許文献３という）に記載された衣類乾燥機とが知られている。特許文献１に記載された乾燥装置と、特許文献２に記載された乾燥装置と、特許文献３に記載された衣類乾燥機とにおいては、それぞれ、以下の手段によって乾燥効率の向上が図られている。
【０００４】
特許文献１に記載された乾燥装置は、乾燥室と、ヒートポンプサイクル装置と、空気循環路と、外部熱源付加装置とを備えている。ヒートポンプサイクル装置は、圧縮機と放熱器と減圧膨張弁と蒸発器とを含む。空気循環路は、放熱器で加熱された空気を乾燥室に導入して洗濯物を乾燥させ、乾燥室から排出される排気を蒸発器で除湿した後に、放熱器で再び加熱するように空気を送風機によって循環させる。外部熱源付加装置は、ヒートポンプサイクル装置のヒートポンプ効果を向上させ、並びに、放熱器による空気の加熱効果を向上させるために、空気循環路の外部の熱源の熱を蒸発器に加える。
【０００５】
特許文献１に記載の乾燥装置によれば、空気循環路を循環する空気の温度上昇の速度を速めることができる。そのため、乾燥の初期から、乾燥室に収容された洗濯物の水分の蒸発効果を促進することができる。
【０００６】
特許文献２に記載された乾燥装置においては、タイマーによってヒートポンプ装置の運転時間ｔを検出し、予め作成した運転時間ｔと蒸発器圧力Ｐｅ（＝蒸発温度Ｔｅ）のテーブルから、蒸発器圧力Ｐｅ（＝蒸発温度Ｔｅ）を推算する。そして、第一の温度センサによって圧縮機の吸入温度Ｔｓを検出し、検出値Ｔｓと蒸発温度Ｔｅとからスーパーヒート値ＴＳＨ（ＴＳＨ＝Ｔｓ−Ｔｅ）を推算する。次に、推算したスーパーヒート値ＴＳＨと目標スーパーヒート値ＴＣとを比較する。スーパーヒート値ＴＳＨが目標値ＴＣよりも大きい場合は、制御手段によって膨張弁の流路抵抗値を小さくする制御を行う。一方、スーパーヒート値ＴＳＨが目標値ＴＣよりも小さい場合は、制御手段によって膨張弁の流路抵抗値を大きくする制御を行う。
【０００７】
特許文献２に記載された乾燥装置においては、タイマーと第一の温度センサの値を用いることによって、ヒートポンプ性能が最大となる最適値に近い値にスーパーヒート値を制御することが可能となる。このように、特許文献２に記載された乾燥装置によれば、乾燥開始から所定時間経過後にスーパーヒート値を大きくとることによって、乾燥用空気の温度を上昇させることができる。
【０００８】
特許文献３に記載された衣類乾燥機において、制御装置は、蒸発器出入口温度差ＳＨの目標値を、乾燥運転の中で切り替える。詳細には、衣類からの水分蒸発量がピークを過ぎた中期から後半においては、衣類からの水分蒸発量が減ることから、蒸発器出入口温度差ＳＨの目標値を大きくするように切り替えるとともに、圧縮機の運転周波数を下げ、圧縮機からの吐出温度を乾燥運転の初期から中期と同等に保つ。また、蒸発器による除湿能力をやや低下させるとともに、蒸発器の温度を高めに制御する。
【０００９】
特許文献３に記載された衣類乾燥機によれば、乾燥速度を低下させることなく、全体としての使用エネルギーを低下させることによって、消費電力量を低減することが可能になる。
【先行技術文献】
【特許文献】
【００１０】
【特許文献１】特許第４８８９５４５号公報
【特許文献２】特許第４１２６３２２号公報
【特許文献３】特開２００９−６１１６３号公報
【発明の概要】
【発明が解決しようとする課題】
【００１１】
しかしながら、特許文献１に記載された乾燥装置においては、乾燥効率の向上のために、外部熱源付加装置をヒートポンプサイクル装置に連結等する必要があるため、外部熱源付加装置の構造とヒートポンプサイクル装置の構造とが複雑化する。
【００１２】
特許文献２に記載の乾燥装置においては、所定の時間としての運転時間ｔが経過した後にスーパーヒート値を大きくすることによって、乾燥用空気の温度を上昇させて乾燥速度を速めている。しかしながら、特許文献２に記載の乾燥装置は、乾燥初期において、スーパーヒート値を大きくすることによって乾燥速度を上昇させることについて考慮されていない。
【００１３】
特許文献３に記載された衣類乾燥機によれば、乾燥運転の中期から後半において、蒸発器出入口温度差ＳＨの目標値を大きくするように切り替えている。しかしながら、特許文献３に記載の衣類乾燥機は、乾燥初期において、蒸発器出入口温度差ＳＨの目標値を大きくすることによって乾燥速度を上昇させることについて考慮されていない。
【００１４】
そこで、本発明の目的は、比較的簡易な構成を用いて、乾燥初期において乾燥速度を上昇させることが可能な乾燥装置を提供することである。
【課題を解決するための手段】
【００１５】
本発明に従った乾燥装置は、ヒートポンプ装置と、乾燥室と、送風機と、制御部とを備えている。ヒートポンプ装置は、圧縮機と、凝縮器と、絞り部と、蒸発器とを含む。乾燥室は、被乾燥対象物を収納する。乾燥室には、凝縮器において加熱された空気が供給される。送風機は、回転部を有している。送風機は、凝縮器において加熱された空気を乾燥室へ送風する。
【００１６】
制御部は、第１の温度検知部と、第２の温度検知部と、演算部と、流量制御部と、送風機制御部とを有する。第１の温度検知部は、蒸発器の入口近傍の温度を検知する。第２の温度検知部は、蒸発器の出口の温度を検知する。演算部は、第１の温度検知部によって検知される温度と第２の温度検知部によって検知される温度との差を算出する。流量制御部は、演算部によって算出される温度差の値が目標値に近づくように絞り部を制御する。送風機制御部は、送風機の回転部を制御する。本発明に従った乾燥装置において、制御部は、被乾燥対象物を乾燥させるための運転の開始時点から、第１の制御と第２の制御と第３の制御とのうちのいずれか一つの制御を実行する。
【００１７】
第１の制御は、被乾燥対象物を乾燥させるための運転の開始時点から、目標値よりも大きい値に設定された代替値に、演算部によって算出される温度差の値が近づくように流路制御部が絞り部を制御し、且つ、所定の回転数よりも低い回転数で回転部が回転するように送風機制御部が回転部を制御する制御である。
【００１８】
第２の制御は、被乾燥対象物を乾燥させるための運転の開始時点から、所定の回転数よりも低い回転数で回転部が回転するように送風機制御部が回転部を制御する制御である。
【００１９】
第３の制御は、被乾燥対象物を乾燥させるための運転の開始時点から、目標値よりも大きい値に設定された代替値に、演算部によって算出される温度差の値が近づくように流路制御部が絞り部を制御する制御である。
【００２０】
本発明に従った乾燥装置において、第１の温度検知部によって検知される温度と第２の温度検知部によって検知される温度との温度差の値が目標値よりも大きい値に設定された代替値に近づくように流路制御部が絞り部を制御する制御（つまり、過熱度を大きくする制御）、または、所定の回転数よりも低い回転数で回転部が回転するように送風機制御部が回転部を制御する制御は、被乾燥対象物を乾燥させるための運転の開始時点から開始される。
【００２１】
本発明に従った乾燥装置によれば、被乾燥対象物を乾燥させるための運転の開始時点から過熱度を大きくすること、または、送風機の回転数を低下させることによって、乾燥初期において乾燥速度を上昇させることができる。すなわち、本発明に従った乾燥装置によれば、被乾燥対象物を乾燥させるための運転の開始時点から、被乾燥対象物が収納される乾燥室等の温度を素早く上昇させることができるため、被乾燥対象物を早く乾燥させることができる。
【００２２】
また、本発明に従った乾燥装置においては、乾燥効率を向上させるための装置等がヒートポンプ装置に連結されておらず、ヒートポンプ装置の構造、さらに当該乾燥装置の構成が簡素である。
【００２３】
このように、本発明によれば、比較的簡易な構成を用いて、乾燥初期において乾燥速度を上昇させることが可能な乾燥装置を提供することができる。
【００２４】
本発明に従った乾燥装置においては、好ましくは、被乾燥対象物を乾燥させるための運転が開始されてから所定の時間が経過した場合に、代替値は、目標値に一致する値に設定される。
【００２５】
この構成によれば、乾燥の開始時点から予め定められた所定の時間が経過するまでの間に、過熱度を大きくすることによって乾燥速度を上昇させることができる。また、所定の時間が経過した後には、温度が上昇された乾燥室において、被乾燥対象物を早く乾燥させることができる。
【００２６】
本発明に従った乾燥装置においては、好ましくは、被乾燥対象物を乾燥させるための運転が開始されてから所定の時間が経過した場合に、所定の回転数で回転部が回転するように送風機制御部は回転部を制御する。
【００２７】
この構成によれば、乾燥の開始時点から予め定められた所定の時間が経過するまでの間に、送風機の回転数を抑制することによって乾燥速度を上昇させることができる。また、所定の時間が経過した後には、温度が上昇された乾燥室において、被乾燥対象物を早く乾燥させることができる。
【００２８】
本発明に従った乾燥装置には、好ましくは、複数の運転コースが設定されている。所定の時間の長さは、好ましくは、複数の運転コースに応じて異なる。
【００２９】
この構成によれば、第１の制御、第２の制御、および、第３の制御を終了させるための条件としての所定の時間が、運転コースごとに異なる。したがって、運転コースに適した乾燥初期の時間内において、乾燥速度を上昇させることができる。つまり、この構成によれば、乾燥初期において、運転コースに適した乾燥速度の上昇率を得ることができる。
【００３０】
本発明に従った乾燥装置は、好ましくは、第１の部分と第２の部分とを有するダクトをさらに備えている。第１の部分は、凝縮器において加熱された空気が乾燥室へ供給されるように凝縮器と乾燥室との間に配置された部分である。第２の部分は、乾燥室において被乾燥対象物の乾燥に利用された空気が蒸発器に向かって流れるように乾燥室と蒸発器との間に配置された部分である。
【００３１】
本発明に従った乾燥装置において、制御部は、好ましくは、第３の温度検知部をさらに有する。第３の温度検知部は、ヒートポンプ装置の所定の箇所の温度、または、ダクトの所定の箇所の温度を検知する。本発明に従った乾燥装置において、代替値は、好ましくは、被乾燥対象物を乾燥させるための運転が開始された後において、第３の温度検知部によって検知される温度が所定の温度以上である場合に、目標値に一致する値に設定される。
【００３２】
この構成によれば、ヒートポンプ装置の所定の箇所の温度、または、ダクトの所定の箇所の温度が、予め定められた所定の温度に達することが温度検知部に検知されるまでの間に、過熱度を大きくすることによって乾燥速度を上昇させることができる。また、上記の温度が所定の温度以上に達することが検知された後には、温度が上昇された乾燥室において、被乾燥対象物を早く乾燥させることができる。
【００３３】
本発明に従った乾燥装置は、好ましくは、第１の部分と第２の部分とを有するダクトをさらに備えている。第１の部分は、凝縮器において加熱された空気が乾燥室へ供給されるように凝縮器と乾燥室との間に配置された部分である。第２の部分は、乾燥室において被乾燥対象物の乾燥に利用された空気が蒸発器に向かって流れるように乾燥室と蒸発器との間に配置された部分である。
【００３４】
本発明に従った乾燥装置において、制御部は、好ましくは、第３の温度検知部をさらに有する。第３の温度検知部は、ヒートポンプ装置の所定の箇所の温度、または、ダクトの所定の箇所の温度を検知する。本発明に従った乾燥装置において、送風機制御部は、好ましくは、被乾燥対象物の乾燥が開始された後において、第３の温度検知部によって検知される温度が所定の温度以上である場合に、所定の回転数で回転部が回転するように回転部を制御する。
【００３５】
この構成によれば、ヒートポンプ装置の所定の箇所の温度、または、ダクトの所定の箇所の温度が、予め定められた所定の温度に達することが温度検知部に検知されるまでの間に、送風機の回転数を抑制することによって乾燥速度を上昇させることができる。また、上記の温度が所定の温度以上に達することが検知された後には、温度が上昇された乾燥室において、被乾燥対象物を早く乾燥させることができる。
【００３６】
本発明に従った乾燥装置には、好ましくは、複数の運転コースが設定されている。所定の温度は、好ましくは、複数の運転コースに応じて異なる。
【００３７】
この構成によれば、第１の制御、第２の制御、および、第３の制御を終了させるための条件としての所定の温度は、運転コースごとに異なる。したがって、乾燥の開始時点から、運転コースに適した所定の温度に上記の温度が達することが検知されるまで、乾燥速度を上昇させることができる。つまり、この構成によれば、乾燥初期において、運転コースに適した乾燥速度の上昇率を得ることができる。
【００３８】
本発明に従った乾燥装置は、好ましくは、乾燥行程よりも前の行程として、洗い行程と濯ぎ行程と脱水行程とを順に行う洗濯乾燥装置である。好ましくは、圧縮機は駆動部を有する。制御部は、好ましくは、圧縮機の駆動部を制御する圧縮機制御部をさらに有する。
【００３９】
本発明に従った乾燥装置において、第１の制御と第２の制御と第３の制御とのうちのいずれか一つの制御を実行する制御部は、好ましくは、乾燥行程よりも前の行程において、第４の制御と第５の制御と第６の制御とのうちのいずれか一つの制御を実行する。
【００４０】
第４の制御は、乾燥行程よりも前の行程において、圧縮機制御部と送風機制御部とがそれぞれ圧縮機と送風機との作動を開始させ、送風機制御部が乾燥行程における回転数よりも低い回転数で送風機の回転部を回転させ、且つ、圧縮機制御部が乾燥行程における回転数よりも低い回転数で圧縮機の駆動部を回転させる制御である。
【００４１】
第５の制御は、乾燥行程よりも前の行程において、圧縮機制御部と送風機制御部とがそれぞれ圧縮機と送風機との作動を開始させ、且つ、送風機制御部が乾燥行程における回転数よりも低い回転数で送風機の回転部を回転させる制御である。
【００４２】
第６の制御は、乾燥行程よりも前の行程において、圧縮機制御部が少なくとも圧縮機の作動を開始させ且つ乾燥行程における回転数よりも低い回転数で圧縮機の駆動部を回転させる制御である。
【００４３】
本発明に従った乾燥装置においては、乾燥行程よりも前の行程において、圧縮機の作動と送風機の作動とを、または、少なくとも圧縮機の作動を開始することによって、冷媒を予め温めることができるため、ヒートポンプ装置と乾燥室との間等の空気の流路を乾燥行程よりも前の行程から予め温めることができる。そのため、乾燥行程の開始時点から、乾燥用空気の温度を早く上昇させることができる。また、乾燥行程よりも出力が抑えられた第４の制御と第５の制御と第６の制御とのうちのいずれか一つの制御が、乾燥行程よりも前の行程から実行されることによって、乾燥行程よりも前の行程における消費電力量を抑制することができる。
【発明の効果】
【００４４】
以上のように、本発明によれば、比較的簡易な構成を用いて、乾燥初期において乾燥速度を上昇させることが可能な乾燥装置を提供することができる。
【図面の簡単な説明】
【００４５】
【図１】本発明に従った乾燥装置の一例である洗濯乾燥機の構成を示す概略図である。
【図２】本発明に従った乾燥装置の制御部によって制御されるヒートポンプ装置と送風機とを模式的に示す図である。
【図３】本発明に従った乾燥装置の制御部によって制御される各構成を示すブロック図である。
【図４】本発明に従った乾燥装置において被乾燥対象物を乾燥させる運転が行われるときに設定される過熱度の目標値の変化を示す図である。
【図５】本発明に従った乾燥装置において被乾燥対象物を乾燥させる運転が行われるときに回転する送風機の回転部の回転数の変化を示す図である。
【図６】本発明に従った乾燥装置において第１の制御と第２の制御と第３の制御とのいずれか一つが実行される場合に第３の温度検知部によって検知される所定の箇所の温度と、乾燥の時間との関係の一例を模式的に示すグラフである。
【図７】本発明に従った乾燥装置によって行われる各行程における圧縮機の駆動部の回転数の例を示す図である。
【図８】本発明に従った乾燥装置によって行われる各行程における送風機の回転部の回転数の例を示す図である。
【図９】乾燥行程よりも前の行程において圧縮機の作動が所定時間停止された状態について説明するための図であって、本発明に従った乾燥装置によって行われる各行程における圧縮機の駆動部の回転数の例を示す図である。
【発明を実施するための形態】
【００４６】
以下、本発明の実施の形態を図面に基づいて説明する。
【００４７】
（第１実施形態）
図１に、本発明に従った乾燥装置の一例であるドラム式の洗濯乾燥機１００を示す。図１に示すように、洗濯乾燥機１００は、外箱１を備えている。外箱１は、洗濯乾燥機１００の本体の外形を形成している。外箱１には、洗濯の条件と乾燥の条件とを選択するための操作部（図示せず）が設定されている。
【００４８】
また、洗濯乾燥機１００は、ヒートポンプ装置７０と、制御部９０と、送風機９と、水槽２と、回転ドラム３と、モータ４とを備えている。モータ４の回転によって回転ドラム３が回転する。
【００４９】
回転ドラム３は、筒形状を有している。当該筒において、一端側（図１の左方側）は開口し、他端側（図１の右方側）は底壁を有した底部３ｂを形成する。回転ドラム３は、水平方向から傾斜した方向または水平方向に延びる回転軸線を中心に回転する。回転ドラム３の材質としては、ステンレス鋼板が一般的に用いられている。回転ドラム３の周壁３ａと底部３ｂには、給水、排水および通気のための複数の小孔（図示せず）が形成されている。周壁３ａは、回転ドラム３のうちの筒状の部分である。周壁３ａは、略円筒形状を有している。また、周壁３ａは、回転軸線が延びる方向と平行な方向に延びている。
【００５０】
周壁３ａには、複数のバッフル（図示せず）が配置されている。バッフルは、回転軸線と略平行に延びている。また、バッフルは、回転軸線を中心とする円の半径方向の内方に向かって周壁３ａから突出している。
【００５１】
水槽２は、筒形状を有している。当該筒において、一端側は開口し、他端側は底壁を有している。回転ドラム３は、水槽２の内部の空間に収容されている。水槽２の下部には、カウンターウェイト（図示せず）が取り付けられている。なお、水槽２全体のバランスをとるため、複数個のカウンターウェイトが水槽２に取り付けられていてもよい。また、カウンターウェイトは、水槽２の上部に取り付けられていてもよい。回転ドラム３の開口部の縁の外側には、図示しない液体バランサが取り付けられている。
【００５２】
回転ドラム３は、被乾燥対象物としての洗濯物５を収納する。回転ドラム３の底部３ｂの外側面には、駆動軸４１が固定されている。モータ４は、水槽２の底部２ｂの外側面に取り付けられている。モータ４は、駆動軸４１に連結されている。
【００５３】
洗濯乾燥機１００は、ヒートポンプ装置７０を熱源として利用する洗濯乾燥機である。図２に示すように、ヒートポンプ装置７０は、圧縮機１４と凝縮器１５と蒸発器１７と膨張弁１６とを備えている。圧縮機１４は、冷媒を圧縮して冷媒の温度を上昇させる。凝縮器１５は、圧縮機１４によって圧縮された冷媒と空気とを熱交換させることによって空気を加熱させる。膨張弁１６は、空気を加熱させた冷媒の圧力を減圧する。蒸発器１７は、減圧された冷媒と空気とを熱交換させることによって空気を冷却させる。また、ヒートポンプ装置７０は、冷媒配管１８を備えている。冷媒配管１８は、圧縮機１４、凝縮器１５、膨張弁１６、蒸発器１７、および、圧縮機１４の順に冷媒が循環するように、圧縮機１４と凝縮器１５と膨張弁１６と蒸発器１７とを連結する。
【００５４】
凝縮器１５と蒸発器１７とは、それぞれフィンチューブ型の熱交換器である。ヒートポンプ装置７０においては、蒸発器１７と凝縮器１５との順に、蒸発器１７と凝縮器１５とを乾燥用空気が流れる。
【００５５】
圧縮機１４は、圧縮機１４を駆動させる駆動部１４ａを有している。駆動部１４ａは、圧縮機１４の駆動源を構成している。なお、駆動部１４ａの好ましい例は、誘導モータである。駆動部１４ａとしてのモータは、他の電動モータであってもよい。
【００５６】
送風機９は、回転部９ａを有している。回転部９ａは、一般的な電動式のモータを含む構成を有している。圧縮機１４の駆動部１４ａと、送風機９の回転部９ａとは、それぞれ、図示しないスイッチを含む回路８９に接続されている。制御部９０が、回路８９に含まれるスイッチのオンとオフとを切り替えるようにスイッチを制御することにより、駆動部１４ａの回転開始と回転停止、および、回転部９ａの回転開始と回転停止とが切り替えられる。
【００５７】
また、図１に示すように、洗濯乾燥機１００は、乾燥室３２とダクト６０とを備えている。回転ドラム３の内部の空間が乾燥室３２として機能する。また、乾燥室３２には、ヒートポンプ装置７０の凝縮器１５（図２参照）において加熱された空気が供給される。送風機９は、加熱された空気を乾燥室３２に送出する。
【００５８】
ダクト６０は、排気ダクト６１と接続部６２と給気ダクト６３とを有している。給気ダクト６３は、凝縮器１５において加熱された空気が乾燥室３２へ供給されるように凝縮器１５と乾燥室３２との間に配置されている。排気ダクト６１は、乾燥室３２において洗濯物５の乾燥に利用された空気が蒸発器１７に向かって流れるように乾燥室３２と蒸発器１７との間に配置されている。接続部６２は、ダクト６０のうち、凝縮器１５と送風機９との間を延びる部分である。洗濯物５の乾燥に用いられる空気は、矢印が指す方向に沿ってダクト６０を流通することによって、乾燥室３２とヒートポンプ装置７０との間を循環する。
【００５９】
図３に示すように、制御部９０は、検知部９１と、演算部９２と、加熱制御部９７と、送風機制御部９６とを含む。検知部９１は、温度検知部９１１を含む。加熱制御部９７は、圧縮機制御部９７１と流量制御部９７２とを含む。さらに、制御部９０は、判定部９３と記憶部９４とタイマ９５とを含む。
【００６０】
洗濯乾燥機１００の運転に必要な制御についての演算は、演算部９２によって行われている。洗濯乾燥機１００の運転に必要な制御についての判定は、判定部９３によって判定されている。また、記憶部９４には、洗濯乾燥機１００の運転に必要なデータ等が格納されている。
【００６１】
記憶部９４は、ＲＯＭ（Read Only Memory）とＲＡＭ（Random Access Memory）とを含む構成を有している。洗濯乾燥機１００には、乾燥行程における運転コースとして、複数の運転コースが設定されている。洗濯乾燥機１００は、運転コースとして、例えば、標準的な時間を掛けて乾燥行程が実行されるコース（これを標準の乾燥コースという）と、時間を短縮して乾燥行程が実行されるコース（これをスピード乾燥のコースという）と、毛布等の重量物に対して比較的大きな出力によって乾燥行程が実行されるコース（これを毛布の乾燥のコースという）とを有している。
【００６２】
また、洗濯乾燥機１００（図１参照）の行程は、乾燥行程よりも前の行程として、順に洗い行程と濯ぎ行程と脱水行程とを含む。各行程における各部材の作動の情報は、例えばプログラムのチャートとして、記憶部９４に記録されている。ただし、各行程における各部材の作動の情報は、単にマップ状またはテーブル状に記憶部９４に記録されていてもよい。
【００６３】
制御部９０は、プログラム等において記録された情報に従って、ヒートポンプ装置７０と送風機９の回転部９ａとを含む各部材を制御する。送風機制御部９６は、送風機９の回転部９ａを制御する。圧縮機制御部９７１は、圧縮機１４の駆動部１４ａを制御する。流量制御部９７２が膨張弁１６を制御することによって、冷媒配管１８（図２参照）を流通する冷媒の流量が調整される。膨張弁１６は、冷媒の流量を調節するための絞り部の一例である。
【００６４】
膨張弁１６の開度を縮小させるように流量制御部９７２が膨張弁１６を制御することにより、冷媒配管１８（図２参照）における抵抗が増大し、過熱度が上昇する。膨張弁１６の開度を拡大させるように流量制御部９７２が膨張弁１６を制御することにより、冷媒配管１８（図２参照）における抵抗が減少し、過熱度が下降する。
【００６５】
また、回転ドラム３のモータ４（いずれも図１参照）の回転と、水槽２（図１参照）に供給される水が通る流路を開閉する給水弁（図示せず）の作動等、洗濯乾燥機１００における各部材の作動は、制御部９０の制御に基づいている。
【００６６】
図２に示すように、ヒートポンプ装置７０において蒸発器１７の入口の近傍には、温度センサ８１が配置されている。温度センサ８１は、蒸発器１７の入口近傍の温度を検出する。ヒートポンプ装置７０において蒸発器１７の出口の近傍には、温度センサ８２が配置されている。温度センサ８２は、蒸発器１７の出口の温度を検出する。
【００６７】
給気ダクト６３には、温度センサ８５が配置されている。温度センサ８５は、ヒートポンプ装置７０から乾燥室３２に向かって流れる空気の温度として、給気ダクト６３を流れる空気の温度を検出する。排気ダクト６１には、温度センサ８４が配置されている。温度センサ８４は、排気ダクト６１を流れる空気の温度を検出する。なお、温度センサ８５は、給気ダクト６３において、送風機９よりも乾燥室３２（図１参照）に近い側に配置されていてもよく、送風機９と乾燥室３２との中間の位置に配置されていてもよい。温度センサ８４は、排気ダクト６１において、ヒートポンプ装置７０よりも乾燥室３２に近い側に配置されていてもよく、ヒートポンプ装置７０と乾燥室３２との中間の位置に配置されていてもよい。
【００６８】
圧縮機１４の吐出部には、温度センサ８３が配置されている。温度センサ８３は、冷媒の温度を検出する。なお、圧縮機１４の吐出部とは、圧縮機１４の一部であって、冷媒が圧縮機１４に流入する側の部分よりも冷媒が圧縮機１４から流出する側に位置する部分のことである。あるいは、圧縮機１４の吐出部とは、圧縮機１４から流出した冷媒が通る冷媒配管１８の一部であって、冷媒配管１８と圧縮機１４との接続部分であってもよい。
【００６９】
温度センサ８６は、洗濯乾燥機１００（図１参照）の外部の温度を検出する。温度センサ８６が配置される場所は、特に限定されず、外箱１（図１参照）の外表面であってもよく、外箱１に収容されるように外箱１の内側であってもよい。
【００７０】
検知部９１の温度検知部９１１（いずれも図３参照）は、温度センサ８１，８２，８３，８４，８５，８６に電子的または電気的に接続されている。温度検知部９１１は、温度センサ８１が検出する蒸発器１７（図２参照）の入口近傍の温度と、温度センサ８２が検出する蒸発器１７の出口の温度と、温度センサ８３が検出する圧縮機１４（図２参照）の吐出部の温度と、温度センサ８４が検出する排気ダクト６１（図２参照）の温度と、温度センサ８５が検出する給気ダクト６３（図２参照）の温度と、温度センサ８６が検出する洗濯乾燥機１００（図１参照）の外部の温度（つまり、外気の温度）とを検知する。
【００７１】
なお、温度センサ８１と温度検知部９１１とは、第１の温度検知部の一例であって、温度センサ８２と温度検知部９１１とは、第２の温度検知部の一例である。温度センサ８５と温度検知部９１１とは、第３の温度検知部の一例である。
【００７２】
演算部９２は、温度センサ８１と温度検知部９１１とによって検知される蒸発器１７（図２参照）の入口近傍の温度と、温度センサ８２と温度検知部９１１とによって検知される蒸発器１７（図２参照）の出口の温度との差を算出する。流量制御部９７２は、演算部によって算出される温度差（つまり、過熱度）の値が、図４に示す目標値ＳＨに近づくように膨張弁１６を制御する。
【００７３】
洗濯乾燥機１００（図１参照）は、洗い行程または濯ぎ行程における水槽２（図１参照）の水位を検出する水位センサ５９（図３参照）を備えている。洗濯物５の布質の違いによって、各洗濯物５が吸収する水量は異なる。一定量の水が水槽２に供給される場合に、回転ドラム３に収容された各洗濯物５の布質に応じて水槽２の水位が異なる。検知部９１は、水位センサ５９によって検知された水位と、水槽２に供給された一定の水量とに基づいて、洗濯物５の容量を検知する。水位センサ５９と検知部９１とは、容量検知部の一例である。
【００７４】
以下においては、洗濯乾燥機１００の乾燥行程のうち、洗濯物５を乾燥させるために、乾燥室３２に供給される空気を加熱する各部材の作動について、図１〜図３を用いて説明する。
【００７５】
乾燥行程のプログラムが立ち上げられる場合に、制御部９０は、モータ４を駆動させることによって回転ドラム３を回転させる。乾燥室３２に供給される空気を加熱するために、制御部９０は、圧縮機１４の駆動部１４ａを駆動させることによって、冷媒を高圧化且つ高温化させる。冷媒と熱交換することによって加熱された空気が乾燥室３２に供給されるように、制御部９０は、送風機９の回転部９ａを回転させる。送風機９が発生させる気流によって、洗濯物５を乾燥させるための空気が、図１において示す二点鎖線の矢印のようにダクト６０を流れる。なお、二点鎖線の矢印は、気流が流れる方向を概略的に示すものであり、気流の速度または規模を示すものではない。
【００７６】
送風機９が発生させた気流により、乾燥室３２に流入した空気は、乾燥室３２において撹拌される洗濯物５から水分を得て、ヒートポンプ装置７０へ向かって排気ダクト６１を流通する。排気ダクト６１の空気には、洗濯物５から蒸発する水分が含まれる。排気ダクト６１からヒートポンプ装置７０へ流入した空気は、蒸発器１７を通過する際に露点以下に除湿される。除湿された後の空気は、凝縮器１５において加熱されて高温化且つ低湿度化され、乾燥用空気として再び回転ドラム３に流入する。このような空気の流れが繰り返されることにより、洗濯物５の乾燥が進行する。
【００７７】
図４には、洗濯乾燥機１００（図１参照）において洗濯物５（図１参照）を乾燥させる運転が行われるときに設定される過熱度の目標値ＳＨの変化を示す。洗濯物５を乾燥させるための運転の開始時点においては、図４に示すように、目標値ＳＨよりも大きい値に設定された代替値ＳＨ1が用いられる。
【００７８】
なお、乾燥行程の開始の時点、または、乾燥運転の開始の時点とは、乾燥行程のプログラムが立ち上げられた時点であってもよく、圧縮機１４が起動された時点のことであってもよく、駆動部１４ａの回転が開始された時点のことであってもよい。
【００７９】
一方、空気の加熱の停止の時点とは、例えば、圧縮機１４が作動を停止するように制御された時点のことであってもよく、駆動部１４ａの回転が停止した時点のことをいう。
【００８０】
乾燥行程が開始されてから経過する時間と、蒸発器１７（図２参照）の入口近傍の温度と、蒸発器１７（図２参照）の出口の温度との相関関係を示すデータは、予め記憶部９４（図３参照）に格納されている。また、過熱度の目標値ＳＨの情報は、予め記憶部９４に格納されている。流量制御部９７２（図３参照）は、記憶部９４に格納された目標値ＳＨの情報に基づいて、膨張弁１６（図３参照）を制御する。流量制御部９７２は、演算部９２（図３参照）によって算出される過熱度（言い換えると、蒸発器１７（図２参照）の入口近傍の温度と蒸発器１７の出口の温度との差）の値が、目標値ＳＨに近づくように膨張弁１６を制御する。
【００８１】
目標値ＳＨの近傍に過熱度を収束させるように膨張弁１６が制御されることによって、ヒートポンプ装置７０の熱交換性能の低下を抑制することができるため、乾燥効率を向上させることができる。
【００８２】
流量制御部９７２（図３参照）は、乾燥行程が開始された時点から、目標値ＳＨよりも大きい値に設定された代替値ＳＨ1に過熱度の値が近づくように膨張弁１６（図３参照）を制御する。
【００８３】
図４に示すように、乾燥行程の開始時点から時間Ｔが経過した場合には、代替値ＳＨ1は、目標値ＳＨに一致する値に設定される。流量制御部９７２（図３参照）は、例えば、時間Ｔが経過したことが判定される場合に、記憶部９４（図３参照）に記憶された目標値ＳＨの情報を代替値ＳＨ1から切り替えて読み取り、読み取った目標値ＳＨの情報に基づいて膨張弁１６（図３参照）を制御する。
【００８４】
また、図５には、洗濯乾燥機１００（図１参照）において洗濯物５（図１参照）を乾燥させる運転が行われるときに回転する送風機９の回転部９ａの回転数の変化を示す。洗濯物５を乾燥させるための運転の開始時点においては、図５に示すように、所定の回転数Ｒａよりも小さい回転数Ｒｂで回転部９ａが回転するように回転部９ａが制御される。なお、回転数Ｒａは、時間Ｔが経過した後において回転数Ｒｂから変更される送風機９の回転部９ａの回転数である。回転数Ｒａの数値の例は、４６００ｒｐｍである。回転数Ｒｂの数値の例は、１４００ｒｐｍである。
【００８５】
乾燥行程が開始されてから経過する時間と、目標とする回転部９ａの回転数との相関関係を示すデータは、予め記憶部９４（図３参照）に格納されている。例えば、回転部９ａの回転数のチャートが、プログラムにおいて予め設定されている。送風機制御部９６（図３参照）は、記憶部９４に格納された回転数と時間との情報に基づいて、回転数Ｒａよりも低い回転数Ｒｂで回転部９ａが回転するように回転部９ａを制御する。
【００８６】
図５に示すように、乾燥行程の開始時点から時間Ｔが経過した場合には、送風機制御部９６は、回転数Ｒａで回転部９ａが回転するように回転部９ａを制御する。送風機制御部９６（図３参照）は、例えば、時間Ｔが経過したことが判定される場合に、記憶部９４（図３参照）に記憶された送風機９の回転数の情報を回転数Ｒｂから回転数Ｒａ切り替えて読み取り、読み取った回転数Ｒａの情報に基づいて膨張弁１６（図３参照）を制御する。
【００８７】
なお、時間Ｔの長さは、複数の運転コースに応じて異なる。例えば、スピード乾燥のコースで乾燥行程が実行される場合には、時間Ｔは８分である。標準の乾燥コースで乾燥行程が実行される場合には、時間Ｔは８分よりも長い。また例えば、毛布の乾燥のコースで乾燥行程が実行される場合には、時間Ｔは５分である。
【００８８】
図６に示される実線のグラフは、洗濯乾燥機１００（図１参照）において第１の制御が実行される場合に温度センサ８５（図３参照）と温度検知部９１１（図３参照）とによって検知される給気ダクト６３（図２参照）の温度と、乾燥の時間との関係の一例を示すグラフである。
【００８９】
あるいは、代替値ＳＨ1（図４参照）は、乾燥の運転が開始された後において、温度センサ８５（図２参照）によって検出される給気ダクト６３（図２参照）を流れる空気の温度が、図６に示すように、温度センサ８６（図２参照）によって検出される外気の温度Ｔｅに対して温度Ｔｐ以上であることが判定される場合に、目標値ＳＨ（図４参照）に一致する値に設定される。流量制御部９７２（図３参照）は、例えば、給気ダクト６３を流れる空気の温度が外気の温度Ｔｅに対して温度Ｔｐ以上であることが判定される場合に、記憶部９４（図３参照）に記憶された目標値ＳＨの情報を代替値ＳＨ1から切り替えて読み取り、読み取った目標値ＳＨの情報に基づいて膨張弁１６（図３参照）を制御する。
【００９０】
また、乾燥の運転が開始された後において、給気ダクト６３を流れる空気の温度が外気の温度Ｔｅに対して温度Ｔｐ以上であることが判定される場合には、送風機制御部９６は、回転数Ｒａで回転部９ａが回転するように回転部９ａを制御する。なお、回転数Ｒａは、給気ダクト６３を流れる空気の温度が外気の温度Ｔｅに対して温度Ｔｐ以上であることが判定された後において回転数Ｒｂから変更される送風機９の回転部９ａの回転数である。
【００９１】
なお、外気の温度Ｔｅに対する所定の温度Ｔｐは、複数の運転コースに応じて異なる。例えば、スピード乾燥のコースで乾燥行程が実行される場合には、外気の温度Ｔｅに対する所定の温度Ｔｐは、＋３０℃である。つまり、スピード乾燥のコースで乾燥行程が開始される場合に、２０℃の外気の温度Ｔｅが検知されるときには、給気ダクト６３を流通する空気の温度が５０℃に達することが判定される場合に、代替値ＳＨ1が目標値ＳＨに一致する値に設定され、且つ、回転部９ａの回転数Ｒｂが回転数Ｒａに変更される。
【００９２】
標準の乾燥コースで乾燥行程が実行される場合には、外気の温度Ｔｅに対する所定の温度Ｔｐは、スピード乾燥のコースのものよりも高い。また例えば、毛布の乾燥のコースで乾燥行程が実行される場合には、外気の温度Ｔｅに対する所定の温度Ｔｐは、＋２５℃である。つまり、毛布の乾燥のコースで乾燥行程が開始される場合に、２０℃の外気の温度Ｔｅが検知されるときには、給気ダクト６３を流通する空気の温度が４５℃に達することが判定される場合に、代替値ＳＨ1が目標値ＳＨに一致する値に設定され、且つ、回転部９ａの回転数Ｒｂが回転数Ｒａに変更される。
【００９３】
このように、制御部９０は、目標値ＳＨよりも大きい値に設定された代替値ＳＨ1に過熱度の値が近づくように流量制御部９７２が膨張弁１６を制御し、且つ、回転数Ｒａよりも低い回転数Ｒｂで回転部９ａが回転するように送風機制御部９６が回転部９ａを制御する第１の制御を、洗濯物５（図１参照）を乾燥させるための運転の開始時点から実行する。
【００９４】
制御部９０が第１の制御を実行することによって、図６に示される実線のグラフのように、図６に示される破線のグラフに比べて、時間Ｔを含む乾燥初期において乾燥速度を上昇させることができるため、乾燥初期において乾燥室３２に供給される空気の温度または乾燥初期における乾燥室３２の温度を上昇させることができる。
【００９５】
なお、後述するように、洗濯乾燥機１００（図１参照）において第２の制御または第３の制御が実行される場合に温度センサ８５（図３参照）と温度検知部９１１（図３参照）とによって検知される給気ダクト６３（図２参照）の温度と、乾燥の時間との関係の一例についても、図６に示される実線のグラフのように変化する。
【００９６】
一方、図６に示される破線のグラフは、洗濯乾燥機１００（図１参照）において第１の制御と第２の制御と第３の制御とのいずれも実行されない場合に温度センサ８５（図３参照）と温度検知部９１１（図３参照）とによって検知される給気ダクト６３（図２参照）の温度と、乾燥の時間との関係の一例を示すグラフである。
【００９７】
以上のように、第１実施形態の洗濯乾燥機１００は、ヒートポンプ装置７０と、乾燥室３２と、送風機９と、制御部９０とを備えている。ヒートポンプ装置７０は、圧縮機１４と、凝縮器１５と、膨張弁１６と、蒸発器１７とを含む。乾燥室３２は、洗濯物５を収納する。乾燥室３２には、凝縮器１５において加熱された空気が供給される。送風機９は、回転部９ａを有している。送風機９は、凝縮器１５において加熱された空気を乾燥室３２へ送風する。
【００９８】
洗濯乾燥機１００は、温度センサ８１，８２を備えている。制御部９０は、温度検知部９１１を含む検知部９１と、演算部９２と、流量制御部９７２と、送風機制御部９６とを有する。温度センサ８１と温度検知部９１１とは、蒸発器１７の入口近傍の温度を検知する。温度センサ８２と温度検知部９１１とは、蒸発器１７の出口の温度を検知する。演算部９２は、温度センサ８１と温度検知部９１１とによって検知される温度と、温度センサ８２と温度検知部９１１とによって検知される温度との差を算出する。流量制御部９７２は、演算部９２によって算出される温度差の値が目標値ＳＨに近づくように膨張弁１６を制御する。送風機制御部９６は、送風機９の回転部９ａを制御する。洗濯乾燥機１００において、制御部９０は、洗濯物５を乾燥させるための運転の開始時点から、第１の制御を実行する。
【００９９】
第１の制御は、洗濯物５を乾燥させるための運転の開始時点から、目標値ＳＨよりも大きい値に設定された代替値ＳＨ1に、検知される蒸発器１７の入口近傍の温度と検知される蒸発器１７の出口の温度との差（すなわち、過熱度）の値が近づくように流量制御部９７２が膨張弁１６を制御し、且つ、所定の回転数Ｒａよりも低い回転数Ｒｂで回転部９ａが回転するように送風機制御部９６が回転部９ａを制御する制御である。
【０１００】
洗濯乾燥機１００において、目標値ＳＨよりも大きい値に設定された代替値ＳＨ1に過熱度の値が近づくように流量制御部９７２が膨張弁１６を制御する制御（つまり、過熱度を大きくする制御）と、所定の回転数Ｒａよりも低い回転数Ｒｂで回転部９ａが回転するように送風機制御部９６が回転部９ａを制御する制御とは、洗濯物５を乾燥させるための運転の開始時点から開始される。
【０１０１】
洗濯乾燥機１００によれば、洗濯物５を乾燥させるための運転の開始時点から過熱度を大きくすること、および、送風機９の回転数を低下させることによって、乾燥初期において乾燥速度を上昇させることができる。すなわち、洗濯乾燥機１００によれば、洗濯物５を乾燥させるための運転の開始時点から、洗濯物５が収納される乾燥室３２等の温度を素早く上昇させることができるため、洗濯物５を早く乾燥させることができる。
【０１０２】
また、洗濯乾燥機１００においては、乾燥効率を向上させるための装置等がヒートポンプ装置７０に連結されておらず、ヒートポンプ装置７０の構造、さらに洗濯乾燥機１００の構成が簡素である。
【０１０３】
このようにすることにより、比較的簡易な構成を用いて、乾燥初期において乾燥速度を上昇させることが可能な洗濯乾燥機１００を提供することができる。
【０１０４】
洗濯乾燥機１００においては、洗濯物５を乾燥させるための運転が開始されてから時間Ｔが経過した場合に、代替値ＳＨ1は、目標値ＳＨに一致する値に設定される。
【０１０５】
この構成によれば、乾燥の開始時点から予め定められた所定の時間Ｔが経過するまでの間に、過熱度を大きくすることによって乾燥速度を上昇させることができる。また、時間Ｔが経過した後には、温度が上昇された乾燥室３２において、洗濯物５を早く乾燥させることができる。
【０１０６】
洗濯乾燥機１００においては、洗濯物５を乾燥させるための運転が開始されてから時間Ｔが経過した場合に、所定の回転数Ｒａで回転部９ａが回転するように送風機制御部９６は回転部９ａを制御する。
【０１０７】
この構成によれば、乾燥の開始時点から予め定められた所定の時間Ｔが経過するまでの間に、送風機９の回転数を抑制することによって乾燥速度を上昇させることができる。また、時間Ｔが経過した後には、温度が上昇された乾燥室３２において、洗濯物５を早く乾燥させることができる。
【０１０８】
洗濯乾燥機１００には、複数の運転コースが設定されている。所定の時間Ｔの長さは、複数の運転コースに応じて異なる。
【０１０９】
この構成によれば、第１の制御を終了させるための条件としての所定の時間が、運転コースごとに異なる。したがって、運転コースに適した乾燥初期の時間内において、乾燥速度を上昇させることができる。つまり、この構成によれば、乾燥初期において、運転コースに適した乾燥速度の上昇率を得ることができる。
【０１１０】
洗濯乾燥機１００は、排気ダクト６１と給気ダクト６３とを有するダクト６０を備えている。排気ダクト６１は、凝縮器１５において加熱された空気が乾燥室３２へ供給されるように凝縮器１５と乾燥室３２との間に配置された部分である。給気ダクト６３は、乾燥室３２において洗濯物５の乾燥に利用された空気が蒸発器１７に向かって流れるように乾燥室３２と蒸発器１７との間に配置された部分である。
【０１１１】
洗濯乾燥機１００は、温度センサ８５，８６を備えている。温度センサ８５と温度検知部９１１とは、給気ダクト６３を流れる空気の温度を検知する。温度センサ８６と温度検知部９１１とは、洗濯乾燥機１００の外部の温度を検知する。洗濯乾燥機１００において、代替値ＳＨ1は、洗濯物５の乾燥が開始された後において、温度センサ８６と温度検知部９１１とによって検知される外気の温度Ｔｅに対して、温度センサ８５と温度検知部９１１とによって検知される空気の温度が所定の温度Ｔｐ以上である場合に、目標値ＳＨに一致する値に設定される。
【０１１２】
この構成によれば、温度センサ８６と温度検知部９１１とによって検知される外気の温度Ｔｅに対して、給気ダクト６３を流れる空気の温度が予め定められた所定の温度Ｔｐに達することが温度センサ８５と温度検知部９１１とに検知されるまでの間に、過熱度を大きくすることによって乾燥速度を上昇させることができる。また、上記の温度が所定の温度以上に達することが検知された後には、温度が上昇された乾燥室３２において、洗濯物５を早く乾燥させることができる。
【０１１３】
洗濯乾燥機１００において、送風機制御部９６は、洗濯物５の乾燥が開始された後において、温度センサ８６と温度検知部９１１とによって検知される外気の温度Ｔｅに対して、温度センサ８５と温度検知部９１１とによって検知される給気ダクト６３を流れる空気の温度が所定の温度Ｔｐ以上である場合に、所定の回転数Ｒａで回転部９ａが回転するように回転部９ａを制御する。
【０１１４】
この構成によれば、温度センサ８６と温度検知部９１１とによって検知される外気の温度Ｔｅに対して、給気ダクト６３を流れる空気の温度が予め定められた所定の温度Ｔｐに達することが温度センサ８５と温度検知部９１１とに検知されるまでの間に、送風機９の回転数を抑制することによって乾燥速度を上昇させることができる。また、上記の温度が所定の温度以上に達することが検知された後には、温度が上昇された乾燥室３２において、洗濯物５を早く乾燥させることができる。
【０１１５】
洗濯乾燥機１００には、複数の運転コースが設定されている。温度センサ８６と温度検知部９１１とによって検知される外気の温度Ｔｅに対する所定の温度Ｔｐは、複数の運転コースに応じて異なる。
【０１１６】
この構成によれば、第１の制御を終了させるための条件としての所定の温度は、運転コースごとに異なる。したがって、乾燥の開始時点から、温度センサ８６と温度検知部９１１とによって検知される外気の温度Ｔｅに対して、運転コースに適した所定の温度Ｔｐに上記の温度が達することが検知されるまで、乾燥速度を上昇させることができる。つまり、この構成によれば、乾燥初期において、運転コースに適した乾燥速度の上昇率を得ることができる。
【０１１７】
なお、制御部９０は、図示しない電源回路を介して商用電源に接続されている。また、制御部９０と圧縮機１４との間、および、制御部９０と送風機９との間等、制御部９０と電動式の各部材との間には、図示しないインバータ回路が設けられている。制御部９０が、回路の電流、電圧、またはそれらいずれかのパルス幅を変調させるように回路の構成を制御することにより、駆動部１４ａの回転数と、回転部９ａの回転数とを調整することができる。
【０１１８】
なお、検知部９１は、例えば、操作部（図示せず）を介して入力された洗濯物５の容量の情報に基づいて、洗濯物５の容量を検知してもよい。なお、洗濯乾燥機１００は、回転ドラム３に収容される洗濯物５の重量を検出または測定する重量センサを備えていてもよい。
【０１１９】
なお、洗濯乾燥機１００において制御部９０が配置される位置は、特に限定されない。図１に示す制御部９０の位置は、概略的に示されるものである。また、制御部９０は、上述のように所望の機能を奏することができるように構成されていればよい。
【０１２０】
なお、温度センサ８１は、蒸発器１７の入口近傍の冷媒の温度を検出していてもよい。温度センサ８２は、蒸発器１７の出口近傍の冷媒の温度を検出していてもよい。温度センサ８３は、圧縮機１４の吐出部における冷媒配管１８の温度を検出していてもよい。温度センサ８４は、排気ダクト６１の温度を検出していてもよい。温度センサ８５は、給気ダクト６３または接続部６２の温度を検出していてもよい。温度センサ８５は、ダクト６０において接続部６２に配置されていてもよい。
【０１２１】
なお、第３の温度検知部は、温度センサ８３と温度検知部９１１とによって構成されていてもよく、温度センサ８４と温度検知部９１１とよって構成されていてもよい。
【０１２２】
第１の制御は、洗濯物５の乾燥が開始された後において、温度センサ８６と温度検知部９１１とによって検知される外気の温度Ｔｅに対して、温度センサ８４と温度検知部９１１とによって検知される空気の温度、または、温度センサ８３と温度検知部９１１とによって検知される冷媒配管１８の温度が所定の温度以上である場合に、終了されることであってもよい。
【０１２３】
上述した回転部９ａの回転数Ｒｂ（図５参照）と、乾燥行程の直前または乾燥行程の開始時における回転部９ａの回転数Ｒｃ（図７参照）とは、異なる回転数であってもよい。例えば、乾燥行程が開始された時点から、回転数Ｒｂが回転数Ｒｃよりも増加していてもよく、回転数Ｒｂが回転数Ｒｃよりも減少していてもよい。
【０１２４】
なお、本発明に従った乾燥装置は、洗濯機能を有する乾燥装置に限定されず、洗い行程と濯ぎの行程とを含まない乾燥装置、つまり、洗いと濯ぎと脱水との機能を有していない乾燥装置であってもよい。
【０１２５】
（第２実施形態）
第２実施形態の洗濯乾燥機１００について、以下に説明する。なお、以下において、第１実施形態の洗濯乾燥機１００と同様の構成については、同符号を付し、説明を省略する。また、第１実施形態の洗濯乾燥機１００と同様の制御または作動については、説明を省略する。
【０１２６】
第２実施形態の洗濯乾燥機１００において、制御部９０は、洗濯物５を乾燥させるための運転の開始時点から第２の制御を実行する。第２の制御は、洗濯物５を乾燥させるための運転の開始時点から、図５に示すように、所定の回転数Ｒａよりも低い回転数Ｒｂで回転部９ａが回転するように送風機制御部９６（図３参照）が回転部９ａを制御する制御である。
【０１２７】
洗濯物５を乾燥させるための運転の開始時点においては、図５に示すように、所定の回転数Ｒａよりも小さい回転数Ｒｂで回転部９ａが回転するように回転部９ａが制御される。
【０１２８】
第２の制御の終了条件は、第１の制御の終了条件と同様である。
【０１２９】
このように、第２実施形態の洗濯乾燥機１００において、制御部９０は、洗濯物５（図１参照）を乾燥させるための運転の開始時点から、回転数Ｒａよりも低い回転数Ｒｂで回転部９ａが回転するように送風機制御部９６が回転部９ａを制御する第２の制御を実行する。
【０１３０】
制御部９０が第２の制御を実行することによって、図６に示される実線のグラフのように、図６に示される破線のグラフに比べて、時間Ｔを含む乾燥初期において乾燥速度を上昇させることができるため、乾燥初期において乾燥室３２に供給される空気の温度または乾燥初期における乾燥室３２の温度を上昇させることができる。
【０１３１】
以上のように、第２実施形態の洗濯乾燥機１００において、制御部９０は、洗濯物５を乾燥させるための運転の開始時点から、第２の制御を実行する。第２の制御は、洗濯物５を乾燥させるための運転の開始時点から、所定の回転数Ｒａよりも低い回転数Ｒｂで回転部９ａが回転するように送風機制御部９６が回転部９ａを制御する制御である。
【０１３２】
第２実施形態の洗濯乾燥機１００において、所定の回転数Ｒａよりも低い回転数Ｒｂで回転部９ａが回転するように送風機制御部９６が回転部９ａを制御する第２の制御は、洗濯物５を乾燥させるための運転の開始時点から開始される。
【０１３３】
第２実施形態の洗濯乾燥機１００によれば、洗濯物５を乾燥させるための運転の開始時点から送風機９の回転数を低下させることによって、乾燥初期において乾燥速度を上昇させることができる。すなわち、第２実施形態の洗濯乾燥機１００によれば、洗濯物５を乾燥させるための運転の開始時点から、洗濯物５が収納される乾燥室３２等の温度を素早く上昇させることができるため、洗濯物５を早く乾燥させることができる。
【０１３４】
また、第２実施形態の洗濯乾燥機１００においては、乾燥効率を向上させるための装置等がヒートポンプ装置７０に連結されておらず、ヒートポンプ装置７０の構造、さらに洗濯乾燥機１００の構成が簡素である。
【０１３５】
このようにすることにより、比較的簡易な構成を用いて、乾燥初期において乾燥速度を上昇させることが可能な洗濯乾燥機１００を提供することができる。
【０１３６】
（第３実施形態）
第３実施形態の洗濯乾燥機１００について、以下に説明する。なお、以下において、第１実施形態の洗濯乾燥機１００と同様の構成については、同符号を付し、説明を省略する。また、第１実施形態の洗濯乾燥機１００と同様の制御または作動については、説明を省略する。
【０１３７】
第３実施形態の洗濯乾燥機１００において、制御部９０は、洗濯物５を乾燥させるための運転の開始時点から第３の制御を実行する。第３の制御は、洗濯物５を乾燥させるための運転の開始時点から、目標値ＳＨよりも大きい値に設定された代替値ＳＨ1に、演算部によって算出される過熱度の値が近づくように流量制御部９７２が膨張弁１６を制御する制御である。
【０１３８】
洗濯物５を乾燥させるための運転の開始時点においては、図４に示すように、目標値ＳＨよりも大きい値に設定された代替値ＳＨ1が用いられる。第３の制御の終了条件は、第１の制御の終了条件と同様である。
【０１３９】
このように、第２実施形態の洗濯乾燥機１００において、制御部９０は、洗濯物５（図１参照）を乾燥させるための運転の開始時点から、目標値ＳＨよりも大きい値に設定された代替値ＳＨ1に、演算部９２によって算出される過熱度の値が近づくように流量制御部９７２が膨張弁１６を制御する第３の制御を実行する。
【０１４０】
制御部９０が第３の制御を実行することによって、図６に示される実線のグラフのように、図６に示される破線のグラフに比べて、時間Ｔを含む乾燥初期において乾燥速度を上昇させることができるため、乾燥初期において乾燥室３２に供給される空気の温度または乾燥初期における乾燥室３２の温度を上昇させることができる。
【０１４１】
以上のように、第３実施形態の洗濯乾燥機１００において、制御部９０は、洗濯物５を乾燥させるための運転の開始時点から、第３の制御を実行する。第３の制御は、洗濯物５を乾燥させるための運転の開始時点から、目標値ＳＨよりも大きい値に設定された代替値ＳＨ1に、演算部９２によって算出される温度差の値が近づくように流量制御部９７２が膨張弁１６を制御する制御である。
【０１４２】
第３実施形態の洗濯乾燥機１００において、目標値ＳＨよりも大きい値に設定された代替値ＳＨ1に、演算部９２によって算出される温度差の値が近づくように流量制御部９７２が膨張弁１６を制御する第３の制御は、洗濯物５を乾燥させるための運転の開始時点から開始される。
【０１４３】
第３実施形態の洗濯乾燥機１００によれば、洗濯物５を乾燥させるための運転の開始時点から過熱度を大きくすることによって、乾燥初期において乾燥速度を上昇させることができる。すなわち、第３実施形態の洗濯乾燥機１００によれば、洗濯物５を乾燥させるための運転の開始時点から、洗濯物５が収納される乾燥室３２等の温度を素早く上昇させることができるため、洗濯物５を早く乾燥させることができる。
【０１４４】
また、第３実施形態の洗濯乾燥機１００においては、乾燥効率を向上させるための装置等がヒートポンプ装置７０に連結されておらず、ヒートポンプ装置７０の構造、さらに洗濯乾燥機１００の構成が簡素である。
【０１４５】
このようにすることにより、比較的簡易な構成を用いて、乾燥初期において乾燥速度を上昇させることが可能な洗濯乾燥機１００を提供することができる。
【０１４６】
（第４実施形態）
第４実施形態の洗濯乾燥機１００について、以下に説明する。なお、以下において、第１実施形態〜第３実施形態の洗濯乾燥機１００と同様の構成については、同符号を付し、説明を省略する。また、第１実施形態〜第３実施形態の洗濯乾燥機１００と同様の制御または作動については、説明を省略する。
【０１４７】
第４実施形態の洗濯乾燥機１００は、乾燥行程よりも前の行程として、洗い行程と濯ぎ行程と脱水行程とを順に行う。第４実施形態の洗濯乾燥機１００においては、上述した第１の制御と第２の制御と第３の制御とのうちのいずれか一つの制御が実行される。
【０１４８】
続いて、図１と図２とを参照して、洗濯乾燥機１００が行う乾燥行程よりも前の行程を含む運転について説明する。
【０１４９】
まず、使用者は、図示しない扉を開き、回転ドラム３に洗濯物５を投入した後、扉を閉じる。洗濯に使用される洗剤は、洗剤ケース（図示せず）に入れられる。必要であれば、使用者は、洗剤ケースに仕上剤を入れる。使用者は、洗い行程または濯ぎ行程の途中で仕上剤を入れてもよい。
【０１５０】
次に、使用者は、外箱１に設置された操作部（図示せず）を操作して、洗濯の条件と乾燥の条件とを選択する。使用者による操作部の操作に基づき、操作部が制御部９０（図２参照）に制御信号を送信し、これにより制御部９０が洗濯乾燥機１００の各部材を制御する。使用者が選択した洗濯の条件と乾燥の条件とに従って、例えば、洗い行程、濯ぎ行程、脱水行程が順に行われる。洗剤ケースと操作部（いずれも図示せず）とは、外箱１の内側に設置されている。
【０１５１】
なお、洗濯乾燥機１００には、乾燥行程よりも前の行程における運転コースとして、複数の運転コースが設定されている。洗濯乾燥機１００は、運転コースとして、例えば、標準的な時間を掛けて洗い行程および濯ぎ行程が実行されるコースと、時間を短縮して洗い行程および濯ぎ行程が実行されるコース（これをスピードコースという）と、毛布等の重量物に対して比較的大きな出力によって洗い行程および濯ぎ行程が実行されるコース（これを毛布の洗濯のコースという）とを有している。使用者は、操作部（図示せず）を操作することによって、これらの運転コースを選択することができる。
【０１５２】
制御部（図３参照）は、乾燥行程よりも前の行程を行なうためのプログラム等において記録された情報に従って、ヒートポンプ装置７０と送風機９の回転部９ａとを含む各部材を制御する。
【０１５３】
まず、洗い行程について説明する。使用者が操作部のスタートボタンを押すことにより、制御部９０によって、扉と給水弁（いずれも図示せず）とが制御される。これにより、扉がロックされるとともに、給水弁が開かれることによって水道水が水槽２に供給される。このとき、水槽２には、洗剤ケースに収容されていた洗剤が混じった水が供給される。
【０１５４】
水槽２に給水された後には、回転ドラム３がモータ４によって洗い行程用の回転チャートに従って回転する。洗濯乾燥機１００においては、回転ドラム３は、例えば５０ｒｐｍ程度で回転する。なお、回転ドラム３の回転チャートについては、洗い行程と濯ぎ行程と脱水行程との行程ごとに、または、洗濯物５の種類もしくは運転コースに応じて、回転速度と回転周期と反転周期等が異なる複数の回転チャートが予め設定されている。回転チャートは、使用者によって選択されるように、または、自動的に選択されるようにプログラムされている。
【０１５５】
後述するように、制御部９０は、洗い行程において、圧縮機１４の作動と送風機９の作動とを開始し、乾燥行程における回転数よりも低い回転数で送風機９の回転部９ａを回転させ、且つ、乾燥行程における回転数よりも低い回転数で圧縮機１４の駆動部１４ａを回転させる。なお、駆動部１４ａの回転チャートと回転部９ａの回転チャートとについても、プログラムにおいて予め設定されている。
【０１５６】
プログラムに従って洗い行程におけるモータ４の回転が終了する場合には、水槽２に残った水が排水部（図示しない）を通って外箱１の外に排出される。排水が終了した後には、中間脱水行程が行なわれる。この行程において、回転ドラム３は、中間脱水行程用の回転チャートに従って高速度で回転する。中間脱水行程においては、回転ドラム３の回転による遠心力によって、洗濯物５に含まれた水が小孔（図示せず）を通じて回転ドラム３から水槽２に吐出される。水槽２に吐出された水は、水槽２の内壁面を伝って下方に流れた後に、排水部を通って外箱１の外に排出される。
【０１５７】
中間脱水行程が終了する場合は、プログラムは中間脱水行程から濯ぎ行程に移行する。濯ぎ行程にプログラムが移行した際には、給水弁が開放されることによって、水道水が水槽２に供給される。図示しない水位センサによって、水槽２に所定の水位まで給水されたことが検知される場合に、給水弁が閉じられる。制御部９０は、給水弁が閉じられた後に、循環ポンプ（図示せず）が所定の時間駆動するように、循環ポンプを制御する。循環ポンプの作動によって、水槽２と循環ポンプとを連結するダクトを通じて、水槽２とダクトとを水が循環する。所定の時間が経過する場合に、制御部９０は循環ポンプの駆動を停止させる。その後、濯ぎ行程用の回転チャートに従って、回転ドラム３が回転する。なお、回転ドラム３が回転するときにも、循環ポンプが駆動していてもよい。
【０１５８】
中間脱水行程および濯ぎ行程が複数回繰り返された後には、濯ぎ行程から最終の濯ぎ行程にプログラムが移行する。最終の濯ぎ行程にプログラムが移行した際には、給水弁が開放されることによって、柔軟仕上剤を含んだ水が水槽２に供給される。
【０１５９】
所定の回数の濯ぎ行程が行われた後には、脱水行程にプログラムが移行する。最終のすすぎ行程が終了する場合は、濯ぎに用いられた水が水槽２から外箱１の外に排出される。排水が終了した後には、最終脱水行程用の回転チャートに従って、例えば１０００ｒｐｍの高速度で回転ドラム３が回転するように、最終脱水行程が行なわれる。最終脱水行程においては、中間脱水行程と同様に、洗濯物５に含まれた水分は、回転ドラム３の回転による遠心力によって小孔（図示せず）を通じて水槽２に吐出される。脱水行程を開始してから所定の時間が経過した後に、制御部９０は、モータ４への通電を断ち、続いて停止処理を行う。
【０１６０】
プログラムは、脱水行程が終了した場合に、脱水行程から乾燥行程に移行する。乾燥行程にプログラムが移行した際にも、制御部９０は、モータ４を駆動させることによって回転ドラム３を回転させる。
【０１６１】
乾燥室３２に供給される空気を加熱するために、制御部９０は、圧縮機１４の駆動部１４ａを駆動させることによって、冷媒を高圧化且つ高温化させる。冷媒と熱交換することによって加熱された空気が乾燥室３２に供給されるように、制御部９０は、送風機９の回転部９ａを回転させる。
【０１６２】
制御部９０は、第４の制御として、洗い行程において、圧縮機１４の作動と送風機９の作動とを開始し、乾燥行程における回転数よりも低い回転数で送風機９の回転部９ａを回転させ、且つ、乾燥行程における回転数よりも低い回転数で圧縮機１４の駆動部１４ａを回転させている。なお、駆動部１４ａの回転チャートと回転部９ａの回転チャートとについても、プログラムにおいて予め設定されている。
【０１６３】
図７に示す回転数Ｒｃは、洗い行程から乾燥行程に移行する前における駆動部１４ａの回転数である。図８に示す回転数Ｒｃは、洗い行程から乾燥行程に移行する前における回転部９ａの回転数である。ただし、図８に示す乾燥行程における回転部９ａの回転数Ｒａは、図５に示す時間Ｔが経過した後における送風機９の回転部９ａの回転数である。
【０１６４】
上述した回転部９ａの回転数Ｒｂ（図５参照）は、乾燥行程の直前または乾燥行程の開始時点における回転部９ａの回転数Ｒｃと同一である。
【０１６５】
上述のように、乾燥行程における駆動部１４ａの回転数Ｒａは、例えば５０００ｒｐｍである。また、乾燥行程における回転部９ａの通常の回転数Ｒａは、例えば４６００ｒｐｍである。一方、洗い行程から乾燥行程に移行する前における駆動部１４ａの回転数Ｒｃは、例えば４０００ｒｐｍである。洗い行程から乾燥行程に移行する前における回転部９ａの回転数Ｒｃは、例えば１４００ｒｐｍである。これらの回転数Ｒａ，Ｒｃは、それぞれ、乾燥行程のプログラムと洗い行程から乾燥行程に移行する前までのプログラムとにおいて、予め設定されている。
【０１６６】
乾燥行程においては、駆動部１４ａが５０００ｒｐｍで回転し、且つ、回転部９ａが４６００ｒｐｍで回転することによって、ヒートポンプ装置７０の内部の凝縮器１５を通過する空気が加熱されたうえで、この加熱された空気（乾燥用空気）が乾燥室３２に供給される。
【０１６７】
なお、乾燥行程に移行する前の行程において水槽２に水が収容されている場合でも、送風機９の回転部９ａの回転数が低く抑えられているため、洗濯乾燥機１００は、水槽２の内部を流通する空気とともに水槽２の水がダクト６０に流入することを防止することができる。
【０１６８】
洗濯乾燥機１００においては、図８に示すように、乾燥行程よりも前の行程において駆動部１４ａの回転が停止される場合には、駆動部１４ａの回転が停止された時点から時間Ｔｓが経過するまで、駆動部１４ａの回転が停止される。このように、制御部９０（図３参照）は、乾燥行程よりも前の行程において圧縮機１４（図３参照）の作動を停止する場合には、圧縮機１４の作動を停止した時点から時間Ｔｓが経過するときに、圧縮機１４の作動を再開する。詳細には、温度検知部９１１（図３参照）によって検知される圧縮機１４の吐出部の温度が所定の温度以上であることが、判定部９３（図３参照）によって判定される場合に、圧縮機制御部９７１（図３参照）は、駆動部１４ａの回転を一時的に停止させる。
【０１６９】
回転再開のための閾値としての時間Ｔｓの情報は、記憶部９４（図３参照）に格納されている。また、時間Ｔｓは、タイマ９５（図３参照）によって計測される。
【０１７０】
また、駆動部１４ａの回転の停止または再開の閾値として設定された所定の温度の値は、記憶部９４に格納されている。なお、駆動部１４ａの回転の停止または再開のために判定される温度は、温度センサ８３によって検出される温度が用いられることに限らず、温度センサ８１，８２，８４，８５，８６のいずれかによって検出される温度が用いられていてもよい。
【０１７１】
なお、制御部９０は、上述した第４の制御とは別に、以下の第５の制御と第６の制御とのいずれかの制御を実行することができる。すなわち、上述した第１の制御と第２の制御と第３の制御とのうちのいずれか一つの制御を実行する制御部９０は、第４の制御と第５の制御と第６の制御とのうち、いずれか一つの制御をさらに実行する。
【０１７２】
第５の制御は、乾燥行程よりも前の行程としての洗い行程において、圧縮機１４の作動と送風機９の作動とを制御部９０が開始させ、且つ、乾燥行程における回転数よりも低い回転数で送風機９の回転部９ａを制御部９０が回転させる制御である。第６の制御は、乾燥行程よりも前の行程としての洗い行程において、少なくとも圧縮機１４の作動（すなわち、圧縮機１４の作動と送風機９の作動、または、圧縮機１４のみの作動）を制御部９０が開始させ、且つ、乾燥行程における回転数よりも低い回転数で圧縮機１４の駆動部１４ａを制御部９０が回転させる制御である。
【０１７３】
第５の制御と第６の制御とにおける駆動部１４ａまたは回転部９ａの回転数Ｒｃの数値例は、第４の制御と同様である。乾燥行程に移行する前における駆動部１４ａの回転数Ｒｃは、例えば４０００ｒｐｍである。乾燥行程に移行する前における回転部９ａの回転数Ｒｃは、例えば１４００ｒｐｍである。
【０１７４】
なお、上述した第１の制御と第２の制御と第３の制御とのうちのいずれか一つの制御を実行する制御部９０は、第４の制御と第５の制御と第６の制御とのうちのいずれか一つの制御を、濯ぎ行程から開始していてもよい。濯ぎ行程から開始される第４の制御と第５の制御と第６の制御とにおける駆動部１４ａまたは回転部９ａの回転数Ｒｃの数値例は、洗い行程から開始される例と同様である。
【０１７５】
また、上述した第１の制御と第２の制御と第３の制御とのうちのいずれか一つの制御を実行する制御部９０は、検知部９１によって検知される洗濯物５の容量に応じて、第４の制御における圧縮機１４の駆動部１４ａの回転数および送風機９の回転部９ａの回転数と、第５の制御における送風機９の回転部９ａの回転数と、第６の制御における圧縮機１４の駆動部１４ａの回転数とを変化させる。
【０１７６】
表１は、洗濯物５（図１参照）の容量によって分類される各行程における圧縮機１４の駆動部１４ａの回転数または送風機９の回転部９ａ（いずれも図１参照）の回転数の例を示す表である。
【０１７７】
【表１】
2014054377.tif 000003
【０１７８】
表１に示す回転数Ｒｃ１，Ｒｃ２，Ｒｃ３は、それぞれ、洗濯物５の容量に応じて設定された乾燥行程に移行する前の行程における駆動部１４ａの回転数または回転部９ａの回転数である。容量が４ｋｇ以上６ｋｇ未満である場合に駆動部１４ａが例えば４０００ｒｐｍで回転するように、駆動部１４ａの回転数Ｒｃ１が設定されている。容量が２ｋｇ以上４ｋｇ未満である場合に駆動部１４ａが例えば３５００ｒｐｍで回転するように、駆動部１４ａの回転数Ｒｃ２が設定されている。容量が２ｋｇ未満である場合に駆動部１４ａが例えば３０００ｒｐｍで回転するように、駆動部１４ａの回転数Ｒｃ３が設定されている。
【０１７９】
また、容量が４ｋｇ以上６ｋｇ未満である場合に回転部９ａが例えば１４００ｒｐｍで回転するように、回転部９ａの回転数Ｒｃ１が設定されている。容量が２ｋｇ以上４ｋｇ未満である場合に回転部９ａが例えば１３００ｒｐｍで回転するように、回転部９ａの回転数Ｒｃ２が設定されている。容量が２ｋｇ未満である場合に回転部９ａが例えば１２００ｒｐｍで回転するように、駆動部１４ａの回転数Ｒｃ３が設定されている。
【０１８０】
一方、乾燥行程における駆動部１４ａの回転数Ｒａと回転部９ａの回転数Ｒａとは、それぞれ、容量に応じて変化せずに一律に設定されている。乾燥行程における駆動部１４ａの回転数Ｒａと回転部９ａの回転数Ｒａとは、上述のように、それぞれ、５０００ｒｐｍと４６００ｒｐｍとである。
【０１８１】
なお、第６の制御が実行される場合には、乾燥行程よりも前の行程において回転部９ａは停止していること（すなわち、回転部９ａの回転数Ｒｃ１，Ｒｃ２，Ｒｃ３は略零（ゼロ）であること）が好ましい。なお、第６の制御が実行される場合に、乾燥行程よりも前の行程における回転部９ａの回転数Ｒｃ１，Ｒｃ２，Ｒｃ３は、乾燥行程の開始時において設定される回転部９ａの回転数Ｒｂと略同一であってもよい。一方、第５の制御が実行される場合には、乾燥行程よりも前の行程における駆動部１４ａの回転数Ｒｃ１，Ｒｃ２，Ｒｃ３は、乾燥行程における駆動部１４ａの回転数Ｒａと略同一であることが好ましい。
【０１８２】
あるいは、制御部９０は、運転コースに応じて、第４の制御における圧縮機１４の駆動部１４ａの回転数および送風機９の回転部９ａの回転数と、第５の制御における送風機９の回転部９ａの回転数と、第６の制御における圧縮機１４の駆動部１４ａの回転数とを変化させる。
【０１８３】
表２は、洗濯乾燥機１００（図１参照）の運転コースによって分類される各行程における圧縮機１４の駆動部１４ａの回転数または送風機９の回転部９ａの回転数の例を示す表である。
【０１８４】
【表２】
2014054377.tif 000004
【０１８５】
表２に示す回転数Ｒｃ４，Ｒｃ５は、それぞれ、運転コースに応じて設定された乾燥行程に移行する前の行程における駆動部１４ａの回転数または回転部９ａの回転数である。標準コースが選択されている場合に駆動部１４ａが例えば４０００ｒｐｍで回転するように、駆動部１４ａの回転数Ｒｃ４が設定されている。スピードコース（時間短縮のためのコース）が選択されている場合に駆動部１４ａが例えば４２００ｒｐｍで回転するように、駆動部１４ａの回転数Ｒｃ５が設定されている。
【０１８６】
また、標準コースが選択されている場合に回転部９ａが例えば１３００ｒｐｍで回転するように、駆動部１４ａの回転数Ｒｃ４が設定されている。スピードコース（時間短縮のコース）が選択されている場合に回転部９ａが例えば１４００ｒｐｍで回転するように、回転部９ａの回転数Ｒｃ５が設定されている。
【０１８７】
一方、乾燥行程における駆動部１４ａの回転数Ｒａと回転部９ａの回転数Ｒａとは、それぞれ、運転コースに応じて変化せずに一律に設定されている。
【０１８８】
なお、第６の制御が実行される場合には、乾燥行程よりも前の行程において回転部９ａは停止していること（すなわち、回転部９ａの回転数Ｒｃ４，Ｒｃ５は略零（ゼロ）であること）が好ましい。なお、第６の制御が実行される場合に、乾燥行程よりも前の行程における回転部９ａの回転数Ｒｃ４，Ｒｃ５は、乾燥行程の開始時において設定される回転部９ａの回転数Ｒｂと略同一であってもよい。第５の制御が実行される場合には、乾燥行程よりも前の行程における駆動部１４ａの回転数Ｒｃ４，Ｒｃ５は、乾燥行程における駆動部１４ａの回転数Ｒａと略同一であることが好ましい。
【０１８９】
以上のように、第４実施形態の洗濯乾燥機１００は、乾燥行程よりも前の行程として、洗い行程と濯ぎ行程と脱水行程とを順に行う洗濯乾燥装置である。圧縮機１４は駆動部１４ａを有する。制御部９０は、圧縮機１４の駆動部１４ａを制御する圧縮機制御部９７１を有する。
【０１９０】
洗濯乾燥機１００において、第１の制御と第２の制御と第３の制御とのうちのいずれか一つの制御を実行する制御部９０は、乾燥行程よりも前の行程において、第４の制御と第５の制御と第６の制御とのうちのいずれか一つの制御を実行する。
【０１９１】
第４の制御は、乾燥行程よりも前の行程において、圧縮機制御部９７１と送風機制御部９６とがそれぞれ圧縮機１４と送風機９との作動を開始させ、送風機制御部９６が乾燥行程における回転数Ｒａよりも低い回転数Ｒｃで送風機９の回転部９ａを回転させ、且つ、圧縮機制御部９７１が乾燥行程における回転数Ｒａよりも低い回転数Ｒｃで圧縮機１４の駆動部１４ａを回転させる制御である。
【０１９２】
第５の制御は、乾燥行程よりも前の行程において、圧縮機制御部９７１と送風機制御部９６とがそれぞれ圧縮機１４と送風機９との作動を開始させ、且つ、送風機制御部９６が乾燥行程における回転数Ｒａよりも低い回転数Ｒｃで送風機９の回転部９ａを回転させる制御である。
【０１９３】
第６の制御は、乾燥行程よりも前の行程において、圧縮機制御部９７１が少なくとも圧縮機１４の作動を開始させ且つ乾燥行程における回転数Ｒａよりも低い回転数Ｒｃで圧縮機１４の駆動部１４ａを回転させる制御である。
【０１９４】
洗濯乾燥機１００においては、乾燥行程よりも前の行程において、圧縮機１４の作動と送風機９の作動とを、または、少なくとも圧縮機１４の作動を開始することによって、冷媒を予め温めることができるため、ヒートポンプ装置７０と乾燥室３２との間等の空気の流路を乾燥行程よりも前の行程から予め温めることができる。そのため、乾燥行程の開始時点から、乾燥用空気の温度を早く上昇させることができる。また、乾燥行程よりも出力が抑えられた第４の制御と第５の制御と第６の制御とのうちのいずれか一つの制御が、乾燥行程よりも前の行程から実行されることによって、乾燥行程よりも前の行程における消費電力量を抑制することができる。
【０１９５】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１９６】
５：洗濯物、９：送風機、９ａ：回転部、１４：圧縮機、１４ａ：駆動部、１５：凝縮器、１６：膨張弁、１７：蒸発器、３２：乾燥室、６０：ダクト、６１：排気ダクト、６３：給気ダクト、７０：ヒートポンプ装置、８１，８２，８３，８４，８５，８６：温度センサ、９０：制御部、９１：検知部、９１１：温度検知部、９２：演算部、９６：送風機制御部、９７：加熱制御部、９７１：圧縮機制御部、９７２：流量制御部、１００：洗濯乾燥機
【図１】
2014054377.tif 000005
【図２】
2014054377.tif 000006
【図３】
2014054377.tif 000007
【図４】
2014054377.tif 000008
【図５】
2014054377.tif 000009
【図６】
2014054377.tif 000010
【図７】
2014054377.tif 000011
【図８】
2014054377.tif 000012
【図９】
2014054377.tif 000013